(57)【要約】【課題】意匠性の高い印画物を含む複数の印画物を形成することができるカードセットを提供すること。【解決手段】複数のカードを含むカードセット１００であって、当該複数のカードには、少なくとも、第１カード本体部１０Ａを有する第１カード１０と、第２カード本体部２０Ａを有する第２カード２０が含まれ、第１カード本体部１０Ａが、第１基材１１の一方の面上に、絵柄層１２、透明基材１４、受容層１６がこの順で設けられた構成を呈し、第２カード本体部２０Ａが、第２基材２１の一方の面上に、受容層２６が設けられた構成を呈し、第１カード１０、及び第２カード２０の何れか一方、又は双方のカードが、カード識別情報５０を有する。【選択図】図７
2018016031.tif 000002
【特許請求の範囲】
【請求項１】
複数のカードを含むカードセットであって、
前記複数のカードには、少なくとも、第１カード本体部を有する第１カードと、第２カード本体部を有する第２カードが含まれ、
前記第１カード本体部が、第１基材の一方の面上に、絵柄層、透明基材、受容層がこの順で設けられた構成を呈し、
前記第２カード本体部が、第２基材の一方の面上に、受容層が設けられた構成を呈し、
前記第１カード、及び前記第２カードの何れか一方、又は双方のカードが、カード識別情報を有していることを特徴とするカードセット。
【請求項２】
前記カード識別情報が、前記絵柄層の情報を示す識別情報であることを特徴とする請求項１に記載のカードセット。
【請求項３】
前記第１カードが、前記第１カード本体部と、当該第１カード本体部から除去可能な第１カード補助部とからなり、
前記第１カード補助部が、前記カード識別情報を有していることを特徴とする請求項１又は２に記載のカードセット。
【請求項４】
前記第２カードが、前記第２カード本体部と、当該第２カード本体部から除去可能な第２カード補助部とからなり、
前記第２カード補助部が、前記カード識別情報を有していることを特徴とする請求項１乃至３の何れか１項に記載のカードセット。
【請求項５】
前記第１カード本体部が、前記第１基材の他方の面上に、さらに受容層が設けられた第１カード本体部であることを特徴とする請求項１乃至４の何れか１項に記載のカードセット。
【請求項６】
前記第２カード本体部が、前記第２基材の他方の面上に、さらに受容層が設けられた第２カード本体部であることを特徴とする請求項１乃至５の何れか１項に記載のカードセット。
【発明の詳細な説明】
【技術分野】
【０００１】
本発明は、カードセットに関する。
【背景技術】
【０００２】
ゲームセンター、商業施設等で利用されているゲーム機の１つとして、筐体内に、予め絵柄（画像と言う場合もある）が印刷された複数のカードがセットされ、セットされた順番で遊技者にカードを提供するゲーム機が知られている。また、近時、筐体内にプリンタを備え、ゲームの進行状況、例えば、ゲームの結果等に応じて、プリンタ内にセット（収容）されているブランクカードに、ゲームの情報を含んだコードの印刷をオンデマンドで行うゲーム機も知られている（例えば、特許文献１）。また、ゲーム機から遊技者に提供されるカードには、所謂ノーマルカードと称され、キャラクタ画像等のメイン絵柄のみが印刷されたカードと、所謂レアカードと称され、メイン絵柄とともに、当該メイン絵柄を装飾すべく、金、銀、ホログラム等の装飾絵柄が印刷されたカードが知られている。なお、このようなレアカードの当選率（ゲーム機から提供される確率）は、一般的に、ノーマルカードのそれよりも低いものとなっている。
【０００３】
オンデマンドで、上記のようなレアカードを形成する場合には、メイン絵柄を形成するためのパネルとともに、装飾絵柄を形成するためのパネルを有する熱転写シートが必要となる。例えば、イエロー、マゼンタ、シアン等の一般的な染料パネルとともに、金、銀、ホログラム等の特色パネルを有する熱転写シートが必要となる。
【０００４】
ところで、ゲーム機から遊技者に提供されるカードの全てが、装飾絵柄を有するカード（レアカード）である場合には、熱転写シートが有する特色パネルが無駄となることはないものの、装飾絵柄を有するレアカードと、装飾絵柄を有しないノーマルカードの何れかが提供され、且つレアカードが提供される確率が、ノーマルカードと比較して低く構成されているゲーム機においては、特色パネルが用いられることが殆どなく、特色パネルが無駄となる問題が生ずる。特に、金、銀、ホログラム等の特色パネルは、通常の染料パネルと比較して高価であり、メイン絵柄の形成に用いられるパネルとともに、装飾絵柄の形成に用いられるパネルを有する熱転写シートとした場合にはコスト増につながる。また、熱転写シートが有するパネル数が多くなるにつれ、高品質な熱転写シートを製造することが難しいといった別の問題が生ずることとなる。
【先行技術文献】
【特許文献】
【０００５】
【特許文献１】特開２０１５−２０２１３４号公報
【発明の概要】
【発明が解決しようとする課題】
【０００６】
本発明はこのような状況に鑑みてなされたものであり、低コスト、且つオンデマンドで、意匠性の高い印画物を含む複数の印画物を形成することができるカードセットを提供することを主たる課題とする。
【課題を解決するための手段】
【０００７】
上記課題を解決するための本発明は、複数のカードを含むカードセットであって、前記複数のカードには、少なくとも、第１カード本体部を有する第１カードと、第２カード本体部を有する第２カードが含まれ、前記第１カード本体部が、第１基材の一方の面上に、絵柄層、透明基材、受容層がこの順で設けられた構成を呈し、前記第２カード本体部が、第２基材の一方の面上に、受容層が設けられた構成を呈し、前記第１カード、及び前記第２カードの何れか一方、又は双方のカードが、カード識別情報を有していることを特徴とする。
【０００８】
また、前記カード識別情報が、前記絵柄層の情報を示す識別情報であってもよい。
【０００９】
また、前記第１カードが、前記第１カード本体部と、当該第１カード本体部から除去可能な第１カード補助部とからなり、前記第１カード補助部が、前記カード識別情報を有していてもよい。また、前記第２カードが、前記第２カード本体部と、当該第２カード本体部から除去可能な第２カード補助部とからなり、前記第２カード補助部が、前記カード識別情報を有していてもよい。
【００１０】
また、前記第１カード本体部が、前記第１基材の他方の面上に、さらに受容層が設けられた第１カード本体部であってもよい。また、前記第２カード本体部が、前記第２基材の他方の面上に、さらに受容層が設けられた第２カード本体部であってもよい。
【発明の効果】
【００１１】
本発明のカードセットによれば、低コスト、且つオンデマンドで、意匠性の高い印画物を含む複数の印画物を形成することができる。
【図面の簡単な説明】
【００１２】
【図１】カードセットの一例を示す斜視図である。
【図２】（ａ）、（ｂ）は第１カードの一例を示す概略断面図である。
【図３】第１カードの一例を示す概略断面図である。
【図４】第２カードの一例を示す概略断面図である。
【図５】第２カードの一例を示す概略断面図である。
【図６】（ａ）は第１カードを受容層側から平面視したときの一例を示す正面図であり、（ｂ）は第２カードを受容層側から平面視したときの一例を示す正面図である。
【図７】（ａ）、（ｂ）は第１カードを受容層側から平面視したときの一例を示す正面図であり、（ｃ）、（ｄ）は第２カードを受容層側から平面視したときの一例を示す正面図である。
【図８】第１カードの一例を示す概略断面図である。
【図９】第１カードを受容層側から平面視したときの一例を示す正面図である。
【発明を実施するための形態】
【００１３】
以下、本発明の実施の形態に係るカードセット（以下、一実施形態のカードセットと言う）について、図面を参照しながら説明する。なお、本発明は多くの異なる態様で実施することが可能であり、以下に例示する実施の形態の記載内容に限定して解釈されるものではない。また、図面は説明をより明確にするため、実際の態様に比べ、各部の幅、厚さ、形状等について模式的に表される場合があるが、あくまで一例であって、本発明の解釈を限定するものではない。また、本願明細書と各図において、既出の図に関して前述したものと同様の要素には、同一の符号を付して、詳細な説明を適宜省略することがある。
【００１４】
＜＜カードセット＞＞
図１に示すように、一実施形態のカードセット１００は、複数のカードから構成されており、当該複数のカードには、少なくとも、第１カード本体部１０Ａを有する第１カード１０、及び第２カード本体部２０Ａを有する第２カード２０が含まれている。そして、一実施形態のカードセット１００は、第１カード１０が有する第１カード本体部１０Ａが、第１基材１１の一方の面上に、絵柄層１２、透明基材１４、受容層１６がこの順で設けられた構成を呈しており（図２、図３参照）、また、第２カード２０が有する第２カード本体部２０Ａが、第２基材２１の一方の面上に、受容層２６が設けられた構成を呈しており（図４、図５参照）、第１カード１０、及び第２カード２０の何れか一方、又は双方のカードが、カード識別情報５０を有していることを特徴としている（図６、図７、図９参照）。
【００１５】
この特徴を有する一実施形態のカードセット１００によれば、当該カードセット１００に含まれる第１カード１０、及び第２カード２０を用い意匠性が異なる複数の印画物（受容層に熱転写画像が形成されたカード）を得ることができる。また、一実施形態のカードセット１００は、第１カード１０、及び第２カード２０の何れか一方、又は双方のカードが、カード識別情報を有していることから、当該カード識別情報に基づいて、第１カード１０の受容層１６、及び第２カード２０の受容層２６に、カード識別情報を反映させた熱転写画像を形成することができる。
【００１６】
さらに、一実施形態のカードセット１００に含まれる第１カード１０は、その構成要素に熱転写画像が形成される受容層１６とともに、絵柄層１２が含まれることから、印画物に意匠性を付与するための特別な対策を行うことなく、換言すれば、従来公知の熱転写シートや、汎用されている熱転写シートを用いて、意匠性の高い印画物を得ることができる。具体的には、各色の染料パネルとともに、特色パネルを有する熱転写シート、例えば、ホログラムパネル、金パネル、銀パネル等を備える熱転写シート等を用いることなく、意匠性の高い印画物を得ることができる。つまり、一実施形態のカードセット１００によれば、低コスト、且つオンデマンドで、意匠性の異なる複数の印画物を得ることができる。
【００１７】
＜第１カード＞
一実施形態のカードセット１００に含まれる第１カード１０は、第１カード本体部１０Ａを有しており、第１カード本体部１０Ａのみなからなる構成（図６（ａ）参照）、又は第１カード本体部１０Ａと第１カード補助部１０Ｂ（図７（ａ）、（ｂ）参照）とからなる構成を呈している。
【００１８】
（第１カード本体部）
図２（ａ）、（ｂ）に示すように、第１カード本体部１０Ａは、第１基材１１の一方の面上に、絵柄層１２、透明基材１４、受容層１６がこの順で設けられた構成を呈している。なお、図２（ａ）に示す形態では、第１基材１１の一方の面の全面に絵柄層１２が設けられ、図２（ｂ）に示す形態では、第１基材１１の一方の面の一部に絵柄層１２が設けられている。なお、図示する形態の第１カード本体部１０Ａは、矩形を呈しているが、第１カード本体部１０Ａの形状について特に限定はなく任意である。以下、第１カード本体部１０Ａの各構成について説明する。
【００１９】
「第１基材」
第１基材１１は、第１基材１１の一方の面上に設けられる絵柄層１２や、必要に応じて第１基材１１の他方の面上に設けられる任意の層を保持する。第１基材１１について特に限定はなく、例えば、上質紙、コート紙、レジンコート紙、アート紙、キャストコート紙、板紙、合成紙（ポリオレフィン系、ポリスチレン系）、合成樹脂、又はエマルジョン含浸紙、合成ゴムラテックス含浸紙、合成樹脂内添紙、セルロース繊維紙等を用いることができる。第１基材１１の厚みについて特に限定はなく、通常、１０μｍ以上５００μｍ以下の範囲内である。
【００２０】
「絵柄層」
図２（ａ）、（ｂ）に示すように、第１基材１１の一方の面上には、絵柄層１２が設けられている。絵柄層１２は、第１カード１０を用いて形成される印画物、具体的には、第１カード１０の受容層１６に熱転写画像を形成することで得られる印画物に意匠性を付与するための層である。要約すれば、第１カード１０から得られる印画物に意匠性を付与するための装飾絵柄として機能する層である。
【００２１】
上記絵柄層１２を有する第１カード１０によれば、当該第１カード１０の受容層１６に熱転写画像を形成することで得られる印画物に立体感を付与することができる。具体的には、第１カード１０は、第１基材上に絵柄層１２が設けられ、且つ当該絵柄層１２上には、透明基材１４を介して、最終的に熱転写画像が形成される受容層１６が設けられた構成を呈していることから、絵柄層１２と、熱転写画像が形成される受容層１６との間に、透明基材１４の厚みに相当する間隔をあけることができる。これにより、第１カード１０から得られる印画物に立体感を付与することができる。
【００２２】
絵柄層１２について特に如何なる限定もされることはなく、第１カード１０により得られる印画物に意匠性を付与することができる任意の層を適宜選択して用いることができる。絵柄層１２は、図２（ａ）に示すように、第１基材１１の一方の面の全面に設けられていてもよく、図２（ｂ）に示すように、第１基材１１の一方の面の一部に設けられていてもよい。また、絵柄層１２は、単色からなるものであってもよく、複数色からなるものであってもよい。また、絵柄層１２は、無地であってもよい。
【００２３】
一例としての絵柄層１２は、絵柄インキ（塗工液）を用いて形成されてなる。絵柄インキは、着色剤、及び必要に応じて添加されるバインダー樹脂や、各種の添加材を適当な溶媒に分散、或いは溶解したものを用いることができる。着色剤としては、例えば、カーボンブラック（墨）、鉄黒、チタン白、アンチモン白、黄鉛、チタン黄、弁柄、カドミウム赤、群青、コバルトブルー等の無機顔料、キナクリドンレッド、イソインドリノンイエロー、フタロシアニンブルー等の有機顔料又は染料、アルミニウム、金属顔料、二酸化チタン被覆雲母、塩基性炭酸鉛等の鱗片状箔片からなる真珠光沢（パール）顔料等を挙げることができる。
【００２４】
バインダー樹脂としては、例えば、ポリウレタン系樹脂、塩化ビニル−酢酸ビニル系共重合体樹脂、塩化ビニル−酢酸ビニル−アクリル系共重合体樹脂、塩素化ポリプロピレン系樹脂、アクリル系樹脂、ポリエステル系樹脂、ポリアミド系樹脂、ブチラール系樹脂、ポリスチレン系樹脂、ニトロセルロース系樹脂、酢酸セルロース系樹脂等を挙げることができる。
【００２５】
絵柄インキを用いた絵柄層１２の形成方法としては、例えば、オフセット印刷、グラビア印刷、シルクスクリーン印刷等を挙げることができる。絵柄層１２の形成は、第１基材１１の一方の面上に、絵柄インキ層を塗布・乾燥することにより行ってもよく、透明基材１４の第１基材１１と対向する側の面上（以下、透明基材上と言う場合がある）に、絵柄インキ層を塗布・乾燥することにより行ってもよい。
【００２６】
絵柄インキを用いた絵柄層１２の厚みについて如何なる限定もされることはなく、絵柄層１２に要求される品質等に応じて適宜設定することができる。一例としては、０．１μｍ以上１５μｍ以下の範囲である。
【００２７】
また、上記絵柄インキを用いて形成された絵柄層１２にかえて、金属蒸着層を絵柄層１２とすることもできる。絵柄層１２としての金属蒸着層は、例えば、金属材料を原料とし、これを真空チャンバー内で蒸発させて、第１基材１１の一方の面上、或いは透明基材１４上に薄膜を形成することで得ることができる。金属蒸着層を構成する金属材料としては、例えば、アルミニウム、金、銀等を挙げることができる。
【００２８】
また、ホログラム層を絵柄層１２とすることもできる。ホログラム層は、例えば、第１基材１１の一方の面上、或いは透明基材１４上に、ホログラム転写箔を用いて形成してもよく、第１基材１１の一方の面上、或いは透明基材１４上に、絵柄層１２としてのホログラムシートを貼合して形成してもよい。また、これ以外の方法を用いて、絵柄層１２としてのホログラム層を形成してもよい。
【００２９】
「透明基材」
図２（ａ）、（ｂ）に示すように、絵柄層１２上には、直接的に、或いは任意の層を介して間接的に透明基材１４が設けられている。透明基材１４は、第１カード１０を、受容層１６側から平面視したときに、絵柄層１２を視認させるための透明性を有している。なお、本願明細書で言う「透明」とは、無色透明のみならず、半透明、有色透明も含まれる。つまり、第１カード１０を受容層１６側から平面視したときに、絵柄層１２を視認することができる程度の透明性を有していればよい。後述する任意の透明プライマー層の透明性についても同様である。
【００３０】
透明基材１４としては、例えば、ポリエチレンテレフタレートフィルム、１，４−ポリシクロヘキシレンジメチレンテレフタレートフィルム、ポリエチレンナフタレートフィルム、ポリフェニレンサルフィドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等を挙げることができる。
【００３１】
透明基材１４の厚みについて特に限定はないが、好ましくは、５μｍ以上１００μｍ以下の範囲である。
【００３２】
また、透明基材１４として透明性を有する各種のフィルムを用いることにかえて、透明基材１４を形成するための塗工液、例えば、透明基材の材料となる樹脂を適当な溶媒に分散、或いは溶解した透明基材用塗工液を調製し、これをグラビア印刷法、スクリーン印刷法またはグラビア版を用いたリバースコーティング法等の手段により塗布・乾燥して透明基材１４を形成することもできる。
【００３３】
「透明プライマー層」
第１基材１１の一方の面上に絵柄層１２を形成し、この絵柄層１２上に透明基材１４を設ける場合や、透明基材１４上に絵柄層１２を形成する場合等には、絵柄層１２と透明基材１４との密着性の向上を目的として、絵柄層１２と透明基材１４との間に、透明プライマー層（図示しない）を設けてもよい。透明プライマー層の成分としては、例えば、ポリエステル系樹脂、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂やポリビニルアルコール系樹脂やポリビニルピロリドン等のビニル系樹脂、ポリビニルアセトアセタールやポリビニルブチラール等のポリビニルアセタール系樹脂、無機粒子等を挙げることができる。
【００３４】
透明プライマー層の厚みについて特に限定はないが、０．０３μｍ以上であることが好ましく、０．０６μｍ以上であることがより好ましい。上限値について特に限定はないが５μｍ程度である。
【００３５】
「受容層」
図２（ａ）、（ｂ）に示すように、透明基材１４上には、直接的に、或いは任意の層を介して間接的に受容層１６が設けられている。この受容層１６上には、最終的に、染料層を有する熱転写シートを用いた昇華型熱転写方式により熱転写画像が形成され、第１基材１１、絵柄層１２、透明基材１４、熱転写画像が形成された受容層１６がこの順で積層されてなる印画物を得る。
【００３６】
受容層１６の成分について特に限定はなく、熱転写シートの染料層が含有している染料を受容可能な成分であればよい。このような成分としては、例えば、ポリプロピレン等のポリオレフィン系樹脂、ポリ塩化ビニルもしくはポリ塩化ビニリデン等のハロゲン化樹脂、ポリ酢酸ビニル、塩化ビニル−酢酸ビニル系共重合体、エチレン−酢酸ビニル共重合体もしくはポリアクリル酸エステル等のビニル系樹脂、ポリエチレンテレフタレートもしくはポリブチレンテレフタレート等のポリエステル樹脂、ポリスチレン系樹脂、ポリアミド系樹脂、エチレンもしくはプロピレン等のオレフィンと他のビニルポリマーとの共重合体系樹脂、アイオノマー若しくはセルロースジアセテート等のセルロース系樹脂、ポリカーボネート、アクリル系樹脂等の溶剤系の樹脂を挙げることができる。受容層の厚みは、０．５μｍ以上１０μｍ以下の範囲であることが好ましく、２μｍ以上５μｍ以下の範囲であることがより好ましい。
【００３７】
受容層１６の形成方法について特に限定はなく、例えば、上記で例示した樹脂、必要に応じて添加される各種の添加材を、適当な溶媒に溶解または分散させた受容層用塗工液を調製し、これをグラビア印刷法、スクリーン印刷法またはグラビア版を用いたリバースコーティング法等の手段により塗布・乾燥して形成することができる。
【００３８】
また、透明基材１４と受容層１６との間に、上記で説明した透明プライマー層を設けてもよい。
【００３９】
また、図３に示すように、第１カード１０の両面への熱転写画像の形成を可能とすべく、第１基材１１の他方の面上に受容層１６を設けてもよい。
【００４０】
第１カード本体部１０Ａの形成方法について特に限定はなく、上記で説明した各層の形成方法を適宜選択して行うことができる。例えば、第１基材１１上に絵柄層１２を形成した積層体と、透明基材１４とを、絵柄層１２と透明基材１４とが対向するようにして貼り合せてもよく、透明基材１４上に絵柄層１２を形成した積層体と、第１基材１１とを、絵柄層１２と第１基材１１とが対向するようにして貼り合せてもよい。この場合において、受容層１６の形成はいかなる段階で行ってもよい。
【００４１】
また、厚み方向に絵柄層１２を複数位置させてもよい。例えば、第１カード本体部１０Ａを、第１基材１１、絵柄層１２、透明基材１４、絵柄層１２、受容層１６がこの順で積層されてなる構成としてもよい。また、第１基材１１と受容層１６との間に、絵柄層１２、透明基材１４を複数位置させてもよい。例えば、第１カード本体部１０Ａを、第１基材１１、絵柄層１２、透明基材１４、絵柄層１２、透明基材１４、受容層１６がこの順で積層されてなる構成としてもよい。また、これら各種の形態において、各層の間に、任意の層、例えば、透明プライマー層等を位置させてもよい。
【００４２】
（カード識別情報）
次に、第１カード１０が、カード識別情報を有している形態について一例を挙げて説明する。
【００４３】
一例としての第１カード１０は、図６（ａ）、図７（ａ）、（ｂ）に示すように、カード識別情報５０を有している。なお、図６（ａ）に示す形態の第１カード１０は、第１カード本体部１０Ａのみからなり、当該第１カード本体部１０Ａがカード識別情報５０を有している。また、図７（ａ）、（ｂ）に示す形態の第１カード１０は、第１カード本体部１０Ａと、当該第１カード本体部１０Ａから除去可能な第１カード補助部１０Ｂとからなり、第１カード補助部１０Ｂがカード識別情報５０を有している。
【００４４】
なお、一実施形態のカードセット１００は、第１カード１０、及び第２カード２０の何れか一方、又は双方のカードがカード識別情報を有していることを条件とし、第２カード２０がカード識別情報を有している場合には、第１カード１０がカード識別情報を有していることを必ずしも要しない。この場合には、カード識別情報を有していないことをもって、カード識別情報を有しないカードが、第１カード１０であると識別することができる。
【００４５】
カード識別情報に記録されている情報について特に限定はなく、一例としてのカード識別情報５０は、一実施形態のカードセット１００を用いた印画物の形成時において、熱転写画像が形成されるカードが、第１カード１０であるか、或いは第２カード２０であるかを識別するための情報を示している。また、他の一例としてのカード識別情報５０は、第１カード１０の絵柄層１２のパターン内容を示す情報、絵柄層１２が設けられている領域や絵柄層１２の色相等に関する情報、或いは、第１カード１０の受容層１６に形成される熱転写画像の内容を指定する情報を示している。
【００４６】
また、一実施形態のカードセット１００に、複数の第１カード１０を含ませ、各第１カードが有する絵柄層１２を、第１カード１０毎に異ならせることもできる。例えば、複数の第１カードの一部、或いは全ての第１カード１０において、絵柄層１２をそれぞれ異ならせてもよい。具体的な例としては、絵柄層１２が、第１の絵柄層、第２の絵柄層を含み、複数の第１カード１０のうちの何れかの第１カードが第１の絵柄層を有し、これ以外の他の第１カードが第２の絵柄層を有する形態としてもよい。この場合には、各第１カード１０が有するカード識別情報は、各第カード１０が有する絵柄層１２の情報となる。ここで言う絵柄層１２の情報としては、上記絵柄層１２のパターン内容を示す情報、絵柄層１２が設けられている領域や絵柄層１２の色相等に関する情報等や、絵柄層１２に基づいて受容層１６に形成される熱転写画像に関する情報等を挙げることができるが、これ以外の情報であってもよい。
【００４７】
カード識別情報について特に限定はなく、例えば、光学的に読み取り可能な一次元コード、二次元コード、磁気データ、孔等の物理的に記録される情報等を挙げることができる。また、プリンタが有する識別手段で読み取り可能な情報であれば、これ以外の情報であってもよい。
【００４８】
図６（ａ）に示すように、第１カード本体部１０Ａがカード識別情報５０を有する場合において、当該カード識別情報５０を形成する位置についていかなる限定もされることはなく、例えば、受容層１６上にカード識別情報５０を形成してもよく、第１カード本体部１０Ａを構成する各層間、例えば、絵柄層１２上、或いは透明基材１４上にカード識別情報５０を形成してもよい。また、絵柄層１２が、カード識別情報５０を含んでいてもよい。また、第１基材１１の他方の面上に、カード識別情報５０を形成してもよい。なお、ここで言うカード識別情報５０の形成とは、各種の印刷技術を用いて形成されたカード識別情報５０に限定されるものではなく、これ以外の方法、例えば、カード識別情報５０が印刷されたラベル等が、第１基材１１の一方の面、或いは他方の面上に貼合されたものであってもよい。
【００４９】
カード識別情報５０は、可視光下で視認可能なものであってもよく、可視光下で視認不能、或いは視認が困難なものであってもよい。可視光下で視認可能なカード識別情報５０は、例えば、上記絵柄層１２で説明した材料等を適宜選択して、例えば、カーボンブラック等を用いて形成することができる。一方、可視光下で視認不能、或いは視認が困難なカード識別情報５０は、可視光を吸収しない、或いは可視光を殆ど吸収しない材料、例えば、不可視光線吸収材料等を用いて形成することができる。可視光下で視認不能、或いは視認が困難なカード識別情報５０とした場合には、カード識別情報５０によって、絵柄層１２や、受容層１６に形成される熱転写画像の視認性が妨げられることがなく、絵柄層１２や、受容層１６に形成される熱転写画像を形成する位置等の自由度を高めることができる。なお、可視光下で視認不能、或いは視認が困難なカード識別情報５０は、例えば、赤外線スキャナや、紫外線スキャナ等により、当該カード識別情報５０に記録されている情報を識別することができる。
【００５０】
（第１カード補助部）
また、図７（ａ）、（ｂ）に示すように、第１カード１０を、第１カード本体部１０Ａと、当該第１カード本体部１０Ａから除去可能な第１カード補助部１０Ｂとからなる構成とし、第１カード補助部１０Ｂがカード識別情報５０を有する形態としてもよい。なお、第１カード補助部１０Ｂは、最終的に第１カード本体部１０Ａから除去され、第１カード本体部１０Ａの形状が、最終的にユーザーが使用するカードの形状となる。
【００５１】
この形態によれば、第１カード補助部１０Ｂとともにカード識別情報５０を除去することができ、カード識別情報５０によって、第１カード１０から得られる印画物の意匠性が低下してしまうことを抑制することができる。
【００５２】
第１カード補助部１０Ｂは、上記第１カード本体部１０Ａと同じ構成を呈していてもよく、異なる構成であってもよい。前者の場合には、例えば、第１カード本体部１０Ａと、第１カード補助部１０Ｂを一体形成し、その後、第１カード本体部１０Ａと、第１カード補助部１０Ｂとの境界に、除去機構を設ければよい。除去機構としては、例えば、第１カード本体部１０Ａと、第１カード補助部１０Ｂとの境界に設けられたミシン目や、溝等を挙げることができる。第１カード補助部１０Ｂの形態についていかなる限定もされることはなく、例えば、図７（ａ）、（ｂ）に示す形態を挙げることができる。
【００５３】
また、後者の場合には、例えば、図８に示すように、第１カード本体部１０Ａと、第１カード補助部１０Ｂを構成する第１基材１１を共通にし、第１カード本体部１０Ａとなる領域上にのみ、絵柄層１２、透明基材１４、及び受容層１６を設ければよい。この場合、第１カード本体部１０Ａと、第１カード補助部１０Ｂとの境界に相当する位置に、ミシン目等の除去機構が設けられた第１基材１１を用いることで、簡便に、第１カード本体部１０Ａから、第１カード補助部１０Ｂを除去することができる。なお、図８は、第１カード１０の一例を示す概略断面図である。
【００５４】
また、上記第１カード本体部１０Ａと、第１カード補助部１０Ｂとの境界に除去機構を設けることにかえて、一実施形態のカードセット１００と組合せて用いられるプリンタ等に除去機構、例えば、切断機構等を付与し、これにより、第１カード本体部１０Ａから、第１カード補助部１０Ｂを除去することもできる。つまり、第１カード本体部１０Ａと、第１カード補助部１０Ｂとの境界は、必ずしもミシン目や、溝等の除去機構を有していることを要しない。
【００５５】
また、上記で説明した形態にかえて、図９に示すように、第１カード本体部１０Ａの表面の一部と重なるようにして、当該第１カード本体部１０Ａから剥離可能な第１カード補助部１０Ｂを貼合した形態とすることもできる。第１カード補助部１０Ｂの貼合は、第１基材１１の一方の面側で行ってもよく、第１基材の他方の面側で行ってもよい。なお、図９は、第１カード１０を、受容層１６側から平面視したときの一例を示す正面図であり、第１基材１１の一方の面側に、当該第１基材１１の一方の面の一部と重なるようにして第１カード補助部１０Ｂが貼合されている（図９における貼合部参照）。
【００５６】
第１カード補助部１０Ｂがカード識別情報５０を有する形態としたときの、カード識別情報５０は、上記第１カード本体部１０Ａで説明したカード識別情報５０をそのまま適用することができ、ここでの詳細な説明は省略する。
【００５７】
＜第２カード＞
一実施形態のカードセット１００に含まれる第２カード２０は、第２カード本体部２０Ａのみなからなる構成（図４、図５参照）、又は第２カード本体部２０Ａと第２カード補助部２０Ｂ（図６（ｂ）、図７（ｃ）、（ｄ）参照）とからなる構成を呈している。
【００５８】
（第２カード本体部）
図４、図５に示すように、第２カード本体部２０Ａは、第２基材２１の一方の面上に受容層２６が設けられた構成を呈している。以下、第２カード本体部２０Ａの各構成について説明する。
【００５９】
「第２基材」
第２基材２１としては、上記第１カード１０で説明した透明基材１４や、カードの分野で従来公知の基材を適宜選択して用いることができる。第２基材２１の厚みについて特に限定はないが、好ましくは、１０μｍ以上５００μｍ以下の範囲である。
【００６０】
「受容層」
第２基材２１上には、直接的に、或いは任意の層を介して間接的に受容層２６が設けられている。受容層２６としては、上記第１カード１０の受容層１６をそのまま用いることができ、ここでの詳細な説明は省略する。
【００６１】
第２カード２０は、絵柄層１２、及び透明基材１４を必須の構成要素としていない点においてのみ第１カード１０と相違し、それ以外の点では一致している。したがって、第２カード補助部２０Ｂや、カード識別情報５０については、上記第１カード１０で説明した、第１カード補助部１０Ｂの構成や、第１カード１０で説明したカード識別情報を適宜選択して用いることができる。例えば、第２カード本体部２０Ａと、第２カード補助部２０Ｂの構成を同じ構成としてもよく、第２基材２１のみを共通とし、第２カード補助部２０Ｂを当該第２基材２１のみとする構成としてもよい。
【００６２】
なお、第１カード１０がカード識別情報を有している場合には、第２カード２０はカード識別情報を有していることを必ずしも要しない。この場合には、カード識別情報を有していないことをもって、当該カード識別情報を有しないカードが、絵柄層１２を有しないカード、つまりは、第２カード２０であると識別することができる。
【００６３】
一例としての第２カード２０が有するカード識別情報５０は、第２カード２０の受容層２６に形成される熱転写画像の内容を示している。
【００６４】
また、第２カード本体部２０Ａの構成を、第１カード本体部１０Ａと同じ構成とし、第２カード本体部２０Ａの絵柄層（図示しない）を、第１カード本体部１０Ａの絵柄層１２と異ならせることで、第１カード１０から得られる印画物の意匠性と、第２カード２０から得られる印画物の意匠性に差を持たせることもできる。例えば、第１カード本体部１０Ａの絵柄層１２を、金、銀、ホログラム等の意匠性の高い絵柄層１２とし、第２カード本体部２０Ａの絵柄層をこれよりも意匠性が低い絵柄層とすることで、双方のカードから得られる印画物の意匠性に差を持たせることもできる。
【００６５】
例えば、一実施形態のカードセット１００において、所謂レアカードを形成するためのカードを第１カード１０とし、所謂ノーマルカードを形成するためのカードを第２カード２０としてもよい。
【００６６】
＜＜印画物を形成するためのプリンタ＞＞
次に、一実施形態のカードセット１００と組合せて用いられるプリンタについて一例を挙げて説明する。なお、一実施形態のカードセット１００の利用形態は、以下で説明するプリンタに限定されるものではない。
【００６７】
一例としてのプリンタは、一実施形態のカードセットを収納するカードセット収納部、カードセットに収納されたカードセットに含まれる各カード（第１カード１０、第２カード２０を含む各カード）を搬送経路に沿って搬送する搬送手段、一実施形態のカードセットに含まれるカード（第１カード１０、第２カード２０）が有するカード識別情報５０を識別する識別手段、搬送された各カードの受容層１６、２６に熱転写画像を形成する画像形成手段、熱転写画像が形成されたカードをプリンタ外に排出する排出手段を備えている。
【００６８】
また、一実施形態のカードセット１００に含まれる第１カード１０、第２カード２０が、第１カード補助部１０Ｂ、第２カード補助部２０Ｂを有している場合には、当該第１カード補助部１０Ｂ、第２カード補助部２０Ｂを、第１カード本体部１０Ａ、第２カード本体部２０Ａから除去するための除去手段を有していてもよい。除去手段としては、例えば、プリンタが有する切断機構等を挙げることができる。
【００６９】
画像形成手段は、サーマルヘッド等の加熱手段と、熱転写シートを有している。一例としての熱転写シートは、熱転写シート基材の一方の面上に、１つ、又は複数の染料層を有しており、各染料層は昇華性染料を含有している。
【００７０】
一例としての熱転写シートは、熱転写シート基材の同一面上に、イエローの昇華性染料を含有するイエロー染料層、マゼンタの昇華性染料を含有するマゼンタ染料層、シアンの昇華性染料を含有するシアン染料層が面順次に設けられている。さらに、各色の染料層と面順次にブラックの溶融層を設けた形態としてもよい。
【００７１】
なお、一実施形態のカードセット１００は、当該カードセット１００に含まれる第１カード１０が、当該熱転写シートを用いて熱転写画像を形成するための受容層１６とともに、絵柄層１２を有していることから、上記のような一般的な熱転写シートを用いて、換言すれば、金、銀、ホログラム等の特色パネルを有しない熱転写シートを用いて、意匠性の高い印画物を得ることができる。
【００７２】
画像形成手段において形成される熱転写画像について特に限定はなく、プリンタが有する識別手段により識別されたカード識別情報５０に記録されている情報に基づいた熱転写画像とすればよい。例えば、カード識別情報５０に記録されている識別情報が、熱転写画像のパターン形成情報である場合には、当該パターン形成情報に基づいて、サーマルヘッド等の加熱手段を駆動させることで、カード識別情報５０に基づいた熱転写画像を形成することができる。また、カード識別情報５０に記録されている識別情報が、絵柄層１２に関する情報、例えば、絵柄層１２の色相や、絵柄層１２の形成位置に関する情報である場合には、これらの情報に基づいて、形成される熱転写画像の色相や、熱転写画像の形成位置を決定し、当該決定された情報に基づいて、サーマルヘッド等の加熱手段を駆動させることで、カード識別情報５０に基づいた熱転写画像を形成することができる。
【００７３】
また、一実施形態のカードセット１００が、複数の第１カード１０を有し、各第１カード１０が有する絵柄層１２を、一部、或いは全ての第１カード１０において異ならせる場合に、第１カード１０の受容層１６に形成される熱転写画像は、第１カード１０が有する絵柄層１２に基づいて、例えば、複数の熱転写画像群の中から任意に選択される画像であってもよく、各第１カード１０が有する絵柄層１２のパターン内容や、色相、絵柄層１２の形成位置などを参照して形成される画像であってもよい。また、各第１カード１０が有する絵柄層１２に基づいて一義的に決定される画像であってもよい。
【００７４】
また、上記プリンタを内蔵するゲーム機と、一実施形態のカードセット１００を組合せ、当該カードセットに含まれる各カードに、ゲーム機における遊技状況と、カード識別情報５０に基づいた熱転写画像を形成することもできる。例えば、カード識別情報５０に記録されている情報が、第１カード１０であるか、或いは第２カード２０であるかを示す種別情報である場合には、当該カードの種別情報と、遊技状況に応じて、形成される熱転写画像の色相や、熱転写画像の形成位置を決定し、当該決定された情報に基づいて、サーマルヘッド等の加熱手段を駆動させることで、各カードの受容層１６、２６に、遊技状況、及びカード識別情報５０の内容を反映させた熱転写画像を形成することもできる。
【００７５】
また、第１カード１０であると識別されたときに選択される複数の画像を含む第１画像群、第２カード２０であると識別されたときに選択される複数の画像を含む第２画像群を記憶させた記憶手段を有するゲーム機とし、ゲームの進行状況、及び識別されたカードの種別に基づいて、第１画像群、或いは第２画像群から、所定の画像を選択する構成とすることで、各カードの受容層１６、２６に、カードの種別、及び遊技状況を反映させた熱転写画像を形成することができる。これ以外にも、ゲームの進行状況、及び第１カード１０が有する絵柄層１２の情報を参照して、熱転写画像を形成することもできる。
【００７６】
なお、一実施形態のカードセット１００は、当該カードセット１００に含まれる第１カード１０が絵柄層１２を有していることを必須の構成要素とし、従来公知のプリンタを用いて意匠性の高い印画物を含む、複数の印画物を形成可能とした点を特徴とし、したがって、上記で説明したプリンタや、プリンタを内蔵するゲーム機について特に限定はなく、従来公知のプリンタや、ゲーム機を適宜選択して用いることができる。
【符号の説明】
【００７７】
１００・・・カードセット
１０Ａ・・・第１カード本体部
１０Ｂ・・・第１カード補助部
１０・・・第１カード
１１・・・第１基材
１２・・・絵柄層
１４・・・透明基材
１６、２６・・・受容層
２０Ａ・・・第２カード本体部
２０Ｂ・・・第２カード補助部
２０・・・第２カード
５０・・・カード識別情報
【図１】
2018016031.tif 000003
【図２】
2018016031.tif 000004
【図３】
2018016031.tif 000005
【図４】
2018016031.tif 000006
【図５】
2018016031.tif 000007
【図６】
2018016031.tif 000008
【図７】
2018016031.tif 000009
【図８】
2018016031.tif 000010
【図９】
2018016031.tif 000011